(57)【特許請求の範囲】
【請求項１】
用紙を収容する複数の用紙カセットの設定情報を記憶する記憶部と、
前記複数の用紙カセットを、それぞれ押下による操作入力を行うための異なる操作キーに割り当てて管理する割当管理部と、
前記操作キーの押下を検出する押下検出部と、
前記操作キーが押下されている間、前記押下中の操作キーに割り当てられている用紙カセットの設定情報を示す設定確認画面を表示する表示処理部と、
前記操作キーが押下されている押下時間を計時する計時部と
を備え、
前記表示処理部は、前記押下時間が予め設定した所定時間を超えた場合に前記押下中の操作キーに割り当てられている用紙カセットに対して前記設定情報を設定する設定画面を表示する、
ことを特徴とする画像形成装置。
【請求項２】
請求項１記載の画像形成装置であって、
前記表示処理部は、前記設定画面を表示するまでの移行期間を示す計時結果を前記設定確認画面上に表示する、
ことを特徴とする画像形成装置。
【請求項３】
請求項１または２に記載の画像形成装置であって、
前記表示処理部は、前記操作キーが押下されている間、前記設定情報が異なる言語で記述された複数の言語別設定確認画面を切り替えて表示する、
ことを特徴とする画像形成装置。
【請求項４】
請求項1〜３の何れか一項に記載の画像形成装置であって、
前記表示処理部は、自機の待機中、前記操作キーの識別情報及び前記用紙カセットの識別情報を含む用紙カセット別のアイコン画像を表示する、
ことを特徴とする画像形成装置。
【請求項５】
請求項４記載の画像形成装置であって、
前記操作キーは、所定配列の数字キーであり、
前記割当管理部は、前記数字キーに対して用紙カセットを割り当てて管理し、
前記表示処理部は、前記アイコン画像を前記数字キーの配列に従った配列で表示する、
ことを特徴とする画像形成装置。
【請求項６】
請求項１〜５の何れか一項に記載の画像形成装置であって、
前記設定画面上で前記用紙カセットに対する設定情報の入力を受け付けて設定を行う設定処理部を備える、
ことを特徴とする画像形成装置。
【請求項７】
用紙を収容する複数の用紙カセットの設定情報を記憶する記憶機能と、
前記複数の用紙カセットを、それぞれ押下による操作入力を行うための異なる操作キーに割り当てて管理する割当管理機能と、
前記操作キーの押下を検出する押下検出機能と、
前記操作キーが押下されている間、前記押下中の操作キーに割り当てられている用紙カセットの設定情報を示す設定確認画面を表示する表示処理機能と、
前記操作キーが押下されている押下時間を計時する計時機能と
をコンピューターに実現させ、
前記表示処理機能は、前記押下時間が予め設定した所定時間を超えた場合に前記押下中の操作キーに割り当てられている用紙カセットに対して前記設定情報を設定する設定画面を表示させる
ことを特徴とする表示プログラム。
【発明の詳細な説明】
【技術分野】
【０００１】
本発明は、テンキー等の操作キーを通じて用紙カセットの設定情報を確認可能とする画像形成装置及び表示プログラムに関する。
【背景技術】
【０００２】
デジタル複合機等の画像形成装置においては、複数の用紙カセットに異なるサイズの用紙を収容しておき、印刷時における用紙サイズ、あるいは用紙カセットの指定に応じて該当する用紙カセットから用紙を供給するものがある。
【０００３】
このような画像形成装置では、例えば印刷待ち状態等において、用紙カセットの設定情報を液晶（ＬＣＤ）画面上で表示させ確認可能とするものが知られている。
【０００４】
しかし、表現領域の少ないＬＣＤ画面では、表現力の制約上、一度に複数の用紙カセットの設定情報を表示することができないので、切り替え操作を通じて用紙カセット毎に詳細な設定情報を表示させるのが一般的である。
【０００５】
このような画像形成装置としては、特許文献１のように、カセット選択キーを操作して用紙カセットを選択し、選択した用紙カセット内の用紙の有無をランプ表示すると共に、用紙が収容されている時にはその用紙のサイズ及び方向等を表示する技術がある。
【０００６】
特許文献１の技術では、用紙カセットの選択を通じて、用紙のサイズ等の詳細な設定情報を表示させることができる。
【０００７】
しかし、特許文献１の技術では、用紙カセットの設定情報を確認するためには所望の用紙カセットが選択されるまで選択キーを繰り返し押下する必要があり、操作が煩雑になっていた。
【先行技術文献】
【特許文献】
【０００８】
【特許文献１】特開２０００−１５３９２４公報
【発明の概要】
【発明が解決しようとする課題】
【０００９】
本発明が解決しようとする問題点は、用紙カセットを選択するために選択キーを繰り返し押下する必要があり、用紙カセットの設定情報の確認操作が煩雑である点である。
【課題を解決するための手段】
【００１０】
本発明は、用紙を収容する複数の用紙カセットの設定情報を記憶する記憶部と、前記複数の用紙カセットを、それぞれ押下による操作入力を行うための異なる操作キーに割り当てて管理する割当管理部と、前記操作キーの押下を検出する押下検出部と、前記操作キーが押下されている間、前記押下中の操作キーに割り当てられている用紙カセットの設定情報を示す設定確認画面を表示する表示処理部と、前記操作キーが押下されている押下時間を計時する計時部とを備え、前記表示処理部は、前記押下時間が予め設定した所定時間を超えた場合に前記押下中の操作キーに割り当てられている用紙カセットに対して前記設定情報を設定する設定画面を表示することを画像形成装置の最も主な特徴とする。
【発明の効果】
【００１１】
本発明によれば、用紙カセットに割り当てられた操作キーを押下し続けるだけで、その用紙カセットに対する設定情報を容易に確認できる。
【図面の簡単な説明】
【００１２】
【図１】本発明の一実施例に係わる画像形成装置の構成を示すブロック図である。
【図２】画像形成装置の操作部近傍の外観構成を示す正面図である。
【図３】画像形成装置の割当管理テーブルのデータ構造を示す図表である。
【図４】画像形成装置のキー操作に基づく表示処理を示すフローチャートである。
【図５】画像形成装置の待機時に表示される待機画面例である。
【図６】操作キーの押下中に表示される設定確認画面例である。
【図７】操作キーの長押しにより表示される用紙カセットの設定画面例である。
【図８】変形例に係り、操作キーの押下中に表示される設定確認画面例である。
【図９】他の変形例に係り、操作キーの押下中に表示される設定確認画面例である。
【発明を実施するための形態】
【００１３】
用紙カセットの設定情報を簡単な操作により容易に確認可能にするという目的を、操作キーが押下されている間、その操作キーに割り当てられている用紙カセットの設定情報を示す設定確認画面を表示する画像形成装置により実現した。
【００１４】
この画像形成装置は、テンキー等の限られた数の操作キーや小型液晶表示装置等を備えるデジタル複合機やプリンタ等として適用することができる。
【００１５】
以下、本発明の実施例について図面を参照して説明する。
【実施例】
【００１６】
［画像形成装置の構成］
図１は、本発明の一実施例に係る画像形成装置の構成を示すブロック図、図２は、図１の画像形成装置の操作部近傍の外観構成を示す図である。
【００１７】
本実施例の画像形成装置１０は、例えばデジタル複合機等であり、プリント機能、コピー機能、ファクシミリ機能等の各種の機能を備えている。画像形成装置１０は、それらの機能に応じた構成の他に、パネルユニット２０、エンジンユニット３０、及びメイン制御ユニット４０等を備えている。なお、図１では、上述した各種機能に応じた構成は省略している。
【００１８】
パネルユニット２０は、操作部２１、表示画面２２、及びパネル制御部２３等を備えている。
【００１９】
操作部２１は、例えば図２に示されるように、テンキー（数字キー）２１０Ａ、「ＯＫ」キー、「バック」キー、十字カーソルキー等の操作キー２１０を有し、各操作キー２１０（テンキー２１０Ａを含む）により画像形成装置１０に対して押下による入力操作を行わせるものである。
【００２０】
表示画面２２は、図２に示すように、操作部２１の周囲（例えば図２での上方）に配置される液晶表示装置等からなり、画像形成装置１０に対する操作部２１からの入力結果や装置状態等の表示を行わせるものである。
【００２１】
図１のパネル制御部２３は、プロセッサー等の演算装置からなる。パネル制御部２３は、プログラムを実行することにより、操作入力部２４として動作する。
【００２２】
操作入力部２４は、操作入力機能を実現するものであり、操作部２１の操作キー２１０の押下操作及び押下解除によって、その操作に応じた入力を受け付ける。受け付けられた入力は、メイン制御ユニット４０側に通知される。
【００２３】
また、パネル制御部２３は、操作入力部２４が受け付けた操作キー２１０の操作に応じ、入力に基づくメイン制御ユニット４０での処理結果を表示画面２２上に表示する表示実行部２５としての機能を果たす。具体的には、表示実行部２５は、メイン制御ユニット４０から処理結果としてのビットマップ画面データを受信して、その画面データに基づく画面を表示する。
【００２４】
エンジンユニット３０は、画像データに基づいて用紙上へ画像を形成する。エンジンユニット３０は、画像形成部３１、複数の用紙カセット３２（ここでは、便宜的に、３２Ａ、３２Ｂ、３２Ｃのみ開示する）、用紙残量センサー３３（同様に、３３Ａ、３３Ｂ、３３Ｃのみ開示する）、及びエンジン制御部３５等を備えている。
【００２５】
画像形成部３１は、エンジン制御部３５による制御下で、用紙上へ画像を形成する機構部である。
【００２６】
用紙カセット３２は、それぞれ異なる用紙を収容可能であり、画像形成部３１での画像形成プロセスに合わせて用紙を供給する。
【００２７】
用紙残量センサー３３は、各用紙カセット３２内の用紙の残量を、例えば機械的或いは光学的に検出するセンサーである。
【００２８】
エンジン制御部３５は、プロセッサー等の演算装置からなる。エンジン制御部３５は、例えば印刷ジョブ等の画像データを印刷用のイメージデータに展開して、イメージデータ等に応じて画像形成部３１の動作制御を行う動作制御部３５１としての機能を果たす。また、エンジン制御部３５は、用紙残量センサー３３で検出した各用紙カセット３２の用紙残量をメイン制御ユニット４０に通知する残量通知部３５２としての機能も果たす。
【００２９】
メイン制御ユニット４０は、画像形成装置１０全体の制御を行うもので、制御部４１と記憶部４３とを有している。
【００３０】
制御部４１は、ＣＰＵ（Ｃｅｎｔｒａｌ  ｐｒｏｃｅｓｓｉｎｇ  Ｕｎｉｔ）等の演算装置である。記憶部４３は、プログラムを記憶するＲＯＭ、作業領域としてのＲＡＭ、補助記憶装置としてのＨＤＤ（Ｈａｒｄ  Ｄｉｓｋ  Ｄｒｉｖｅ）等である。
【００３１】
本実施例の画像形成装置１０では、制御部４１が記憶部４３内のプログラムを実行することにより、割当管理部４１５、押下検出部４１１、計時部４１２、表示処理部４１３、設定処理部４１４として動作する。
【００３２】
割当管理部４１５は、割当管理機能を実現し、複数の用紙カセット３２をそれぞれ異なる操作キー２１０に割り当てて管理する。具体的には、割当管理部４１５は、例えば、記憶部４３に設けられる割当管理テーブル４３１を用いて、操作部２１の操作キー２１０に割り当てられている用紙カセット３２の設定情報を管理している。用紙カセット３２の設定情報は、記憶部４３内に記憶されている。このため、本実施例では、記憶部４３により、用紙を収容する複数のカセット３２の設定情報を記憶する記憶機能を実現する。
【００３３】
図３は、割当管理テーブル４３１のデータ構造の一例を示す表図である。割当管理テーブル４３１には、操作部２１の操作キー２１０のテンキー２１０Ａのうち、「０」キー、「１」キー、「２」キー、「３」キー、「４」キー、「５」キーに、それぞれ、用紙カセットＭＰ、１、２、３、４、５が対応付けて（割り当てられて）記憶（登録）されている。なお、用紙カセットＭＰは手差し用紙カセットである。
【００３４】
また、用紙カセットＭＰ、１、２、３、４、５には、各用紙カセット３２に収容される用紙に関する設定情報として、例えば、メディアタイプ（用紙種別）、用紙サイズ、カスタム用紙サイズ等の用紙属性情報が登録されている。
【００３５】
押下検出部４１１は、押下検出機能を実現し、操作部２１における操作キー２１０のテンキー２１０Ａの押下を操作入力部２４からの通知により検出する。
【００３６】
計時部４１２は、計時機能を実現し、用紙カセット３２が割り当てられているテンキー２１０Ａが押下されている押下時間を計時する。
【００３７】
表示処理部４１３は、表示処理機能を実現するもので、パネルユニット２０の表示実行部２５を通じて表示画面２２に画面表示を行わせる。
【００３８】
本実施例の表示処理部４１３は、画像形成装置１０の待機中、テンキー２１０Ａの識別情報を含む用紙カセット３２別のアイコン画像を待機画面（図５参照）として表示する。
【００３９】
また、表示処理部４１３は、押下検出部４１１によるテンキー２１０Ａの押下検出結果に基づき、操作部２１でテンキー２１０Ａが押下されている間、そのテンキー２１０Ａに割り当てられている用紙カセット３２の設定情報の設定確認画面（図６参照）を表示する。
【００４０】
また、表示処理部４１３は、計時部４１２により計時されたテンキー２１０Ａの押下時間が予め設定した所定時間を超えた場合（テンキー２１０Ａが長押しされた場合）に、押下中のテンキー２１０Ａに割り当てられている用紙カセット３２の設定情報を設定する設定画面（図７参照）を表示する。
【００４１】
さらに、表示処理部４１３は、テンキー２１０Ａの押下時間と所定時間に基づき、設定画面を表示するまでの移行期間を示す移行期間表示ゲージ５３１（図６参照）を設定確認画面上に表示する。
【００４２】
設定処理部４１４は、設定処理機能を実現し、表示画面２２上に表示された設定画面上で用紙カセット３２に対する設定情報の入力を受け付けて設定を行う。設定情報の入力は、操作部２１を通じて行わせることができる。
［操作キーの長押しに基づく表示処理］
図４は、画像形成装置１０のキー操作に基づく表示処理を示すフローチャートである。
【００４３】
この表示処理は、画像形成装置１０の待機状態から開始され、まずステップＳ１の「待機画面表示」を行う。すなわち、メイン制御ユニット４０の表示処理部４１３は、パネル制御部２３を通じて表示画面２２上に待機画面を表示させる。
【００４４】
図５は、画像形成装置１０の表示画面２２に表示される待機画面５１の画面例を示している。
【００４５】
待機画面５１には、画像形成装置１０が有する全ての用紙カセット３２に対してアイコン画像（以下、カセットアイコンと称する）５１１が表示される。カセットアイコン５１１は、少なくともテンキー２１０Ａの識別情報（テンキー２１０Ａの番号）及び用紙カセット３２の識別情報（種別（ＭＰ（０）、１、２、３、４、５））を含んでいる。本実施例では、用紙カセット３２の識別情報が、そのままテンキー２１０Ａの識別情報となっている。
【００４６】
さらに、カセットアイコン５１１は、テンキー２１０Ａに割り当てられた用紙カセット３２の用紙サイズ及び用紙残量とを一体的に示している。
【００４７】
待機画面５１を表示する際には、表示処理部４１３が割当管理テーブル４３１から各用紙カセット３２毎に割り当てられているテンキー２１０Ａ及び用紙サイズの情報を取得する。また、表示処理部４１３は、エンジンユニット３５から通知された各用紙カセット３２に対応する各用紙残量センサー３２の検出値（用紙残量）を収集する。
【００４８】
その後、各用紙カセット３２毎に取得した情報に基づき、各用紙カセット３２毎のカセットアイコン５１１を含む待機画面５１のビットマップ画面データを生成してパネルユニット２０の表示実行部２５を通じて表示画面２２上に待機画面５１を表示させる。
【００４９】
図５の待機画面５１の例では、「０」、「１」、「２」、「３」、「４」、「５」の各テンキー２１０Ａにそれぞれ用紙カセットＭＰ（手差し用紙カセット）、用紙カセット１、２、３、４、５が割り当てられており、各用紙カセットＭＰ（０）、１、２、３、４、５にはＡ４、Ａ６、ＣＵ（Ｃｕｓｔｏｍ）、ＳＴ（Ｓｔａｔｍｅｎｔ）、ＬＴ（Ｌｅｔｔｅｒ）、Ｂ５の各サイズの用紙が装填されていることが視認できる。また、各カセットアイコン５１１から対応する各用紙カセットＭＰ、１、２、３、４、５内のおよその用紙残量も分かる。
【００５０】
なお、待機画面としては、各テンキー２１０Ａに対して割り当てられた用紙カセット３２のカセットアイコン５１１を、テンキー２１０Ａの配列に従った配列での表示としてもよい。
【００５１】
こうしてステップＳ１で待機状態を維持による待機画面５１を表示しながらステップＳ２に移行する。
【００５２】
ステップＳ２では、「キー押下検出？」が行われる。この処理では、メイン制御ユニット４０の押下検出部４１１が、テンキー２１０Ａが押下されているか否かを判定する。つまり、押下検出部４１１は、パネルユニット２０の操作入力部２４からのテンキー２１０Ａの押下が通知されているか否かを判定する。
【００５３】
テンキー２１０Ａが押下されている場合はステップＳ３へ移行し（ＹＥＳ）、テンキー２１０Ａが押下されていない場合はステップＳ２の処理を繰り返す（ＮＯ）。
【００５４】
ステップＳ３では、「押下時間Ｔ１の計時」が行われる。この処理では、メイン制御ユニット４０の計時部４１２が、ステップＳ２でのテンキー２１０Ａの押下を検出してからの経過時間、つまりテンキー２１０Ａの押下時間Ｔ１の計時を開始する。こうして押下時間Ｔ１の計時が開始されると、平行してステップＳ４及びＳ５が行われる。
【００５５】
ステップＳ４では、「設定確認画面表示」を行う。この処理では、メイン制御ユニット４０の表示処理部４１３が、ステップＳ２で押下されていることが検出されたテンキー２１０Ａに対し、割り当てられている用紙カセット３２の設定情報（図３参照）を示す設定確認画面を表示画面２２に表示させる。
【００５６】
すなわち、表示画面２２の表示の際には、メイン制御ユニット４０の表示処理部４１３が、押下されているテンキー２１０Ａに割り当てられている用紙カセット３２に設定されている設定情報を割当管理テーブル４３１から読み出す。
【００５７】
そして、読み出した設定情報をビットマップ展開したビットマップ画面データを生成し、そのビットマップ画面データをパネルユニット４０の表示実行部２５を通じて設定確認画面として表示させる。
【００５８】
設定確認画面の表示は、テンキー２１０Ａが押下されている限り維持される。このとき、設定確認画面上には、計時部４１２での計時結果に基づいて移行期間表示ゲージ５３１が表示される。
【００５９】
図６は、テンキー２１０Ａの押下中に表示される設定確認画面例である。なお、図６においては、同図の左端でテンキー２１０Ａの押下が開始（長押し開始）されてからの時間の流れを右端（長押し終了）まで伸びる矢印で示している。この設定確認画面例では、時間が経過するのに合わせて、表示画面２２上で設定確認画面５３Ａ、５３Ｂ、５３Ｃに順次遷移する。
【００６０】
設定確認画面５３Ａ、５３Ｂ、５３Ｃには、ステップＳ２で押下開始されたテンキー２１０Ａに割り当てられている用紙カセット３２の設定情報が表示されている。図６の例では、「２」のテンキー２１０Ａに割り当てられている用紙カセット２（「Ｃａｓｓｅｔｔｅ２」）の用紙サイズ（Ｓｉｚｅ）、メディアタイプ（Ｔｙｐｅ）の設定情報及び用紙残量（Ｒｅｓｔ）が表示されている。
【００６１】
これら設定確認画面５３Ａ、５３Ｂ、５３Ｃには、移行期間表示ゲージ５３１が表示されている。移行期間表示ゲージ５３１は、テンキー２１０Ａの押下開始後、予め設定した所定時間に達するまでの残り時間（移行期間）を画像の長さによって示すものである。なお、所定時間としては、例えば、時間Ｔ０が設定されている。すなわち、テンキー２１０Ａの押下開始時点での移行期間は時間Ｔ０である。
【００６２】
図６の例によれば、移行期間表示ゲージ５３１は、横長のゲージ領域（全体）で所定時間Ｔ０を表し、ゲージ領域の白い部分がテンキー２１０Ａの押下時間Ｔ１を表し、黒い部分が残り時間（移行期間）を表わしている。矢印方向への時間経過に従って設定確認画面５３Ａ、５３Ｂ、５３Ｃと画面が遷移し、移行期間表示ゲージ５３１上で所定時間Ｔ０までの残り時間が次第に短くなっていく様子が視認できる。
【００６３】
ステップＳ５では、「Ｔ１≧Ｔ０？」の処理を行う。この処理では、メイン制御ユニット４０の表示処理部４１３が、ステップＳ３で計時開始した押下時間Ｔ１と所定時間Ｔ０とを比較し、押下時間Ｔ１が所定時間Ｔ０以上であるか否かを判定する。
【００６４】
押下時間Ｔ１が所定時間Ｔ０以上ではない場合はステップＳ６に移行し（ＮＯ）、押下時間Ｔ１が所定時間Ｔ０以上の場合はステップＳ７に移行する（ＹＥＳ）。
【００６５】
ステップＳ６では、「キー押下終了？」が行われる。この処理では、メイン制御ユニット４０の表示処理部４１３が、押下検出部４１１によるテンキー２１０Ａの押下検出結果に基づき、ステップＳ２で開始されたテンキー２１０Ａの押下が終了したか否かを判定する。
【００６６】
テンキー２１０Ａの押下が終了した場合はステップＳ１の待機状態へ移行し（ＹＥＳ）、テンキー２１０Ａの押下が終了していない場合はステップＳ３、Ｓ４、Ｓ５の処理を繰り返す（ＮＯ）。
【００６７】
ステップＳ６からステップＳ１の待機状態へ移行した時には、設定確認画面５３（図６参照）から切り換えて待機画面５１（図５参照）を表示する。
【００６８】
ステップＳ７では、「設定画面表示」が行われる。この処理では、メイン制御ユニット４０の表示処理部４１３が、所定時間Ｔ０の間続けて押下された（長押しされた）テンキー２１０Ａについて、割り当てられている用紙カセット３２を設定するための設定画面を表示する。
【００６９】
このとき、メイン制御ユニット４０の表示処理部４１３は、用紙カセット３２の設定画面フォーマットデータを記憶部４３から読み出す。そして、そのフォーマットデータをビットマップ展開してビットマップ画面データを生成し、パネルユニット２０の表示実行部２５を通じて設定画面を表示画面２２上に表示させる。
【００７０】
図７は、テンキー２１０Ａの長押しにより表示される用紙カセット３２の設定画面例を示している。
【００７１】
設定画面５５には、設定対象となる用紙カセット名（この例では「Ｃａｓｓｅｔｔｅ２」）と、この用紙カセット３２に対して設定可能な「Ｍｅｄｉａ  Ｔｙｐｅ（用紙種別）」、「Ｐａｐｅｒ  Ｓｉｚｅ（用紙サイズ）」、「Ｃｕｓｔｏｍ  Ｐａｐｅｒ  Ｓｉｚｅ（カスタム用紙サイズ」等の各設定項目が表示されている。
【００７２】
こうしてステップＳ７で設定画面５５の表示が完了することによりステップＳ８に移行する。
【００７３】
ステップＳ８では、「設定処理」を行う。この処理では、設定処理部４１４がステップＳ７で表示した設定画面５５を用いて、ユーザによる操作部２１のキー操作に基づく用紙カセット３２に対する用紙属性等の設定情報の入力を受け付ける。
【００７４】
例えば、設定画面５５の各設定項目「Ｍｅｄｉａ  Ｔｙｐｅ」、「Ｐａｐｅｒ  Ｓｉｚｅ」、「Ｃｕｓｔｏｍ  Ｐａｐｅｒ  Ｓｉｚｅ」に対し、それぞれ「普通紙」、「Ａ４」、「任意」等の設定値が入力される。
【００７５】
こうしてステップＳ８が完了するとステップＳ９に移行する。
【００７６】
ステップＳ９では、「設定終了？」を行う。この処理では、メイン制御ユニット４０の設定処理部４１４が、パネルユニット２０の操作部２１において、操作キー２１０の「ＯＫ」キー等を通じた設定終了指示が行われたか否かを判定する。
【００７７】
設定終了指示が行われていない場合は、ステップＳ８の処理を繰り返し行う（ＮＯ）。
【００７８】
一方、設定終了指示が行われた場合は、メイン制御ユニット４０の設定処理部４１４が入力された設定値を割当管理テーブル４３１に登録して、ステップＳ１の待機状態に戻る（ＹＥＳ）。
［実施例の効果］
本実施例は、用紙収容する複数の用紙カセット３２の設定情報を記憶する記憶部４３と、複数の用紙カセット３２を、それぞれ押下による操作入力を行うためのテンキー２１０Ａに割り当てて管理する割当管理部４１５と、テンキー２１０Ａの押下を検出する押下検出部４１１と、テンキー２１０Ａが押下されている間、そのテンキー２１０Ａに割り当てられている用紙カセット３２の設定情報の設定確認画面を表示する表示処理部４１３とを備える。
【００７９】
従って、本実施例によれば、用紙カセット３２に割り当てられているテンキー２１０Ａを押し続けるだけで、その用紙カセット３２の詳細設定を容易且つ確実に把握できる。
【００８０】
また、本実施例では、テンキー２１０Ａが押下されている押下時間を計時する計時部４１２を有し、表示処理部４１３が押下時間Ｔ１が予め設定した所定時間Ｔ０を超えた場合に押下中のテンキー２１０Ａに割り当てられている用紙カセット３２の設定情報を設定する設定画面５５を表示する。
【００８１】
従って、本実施例によれば、用紙カセット３２に割り当てられているテンキー２１０Ａを所定時間長押しすることにより、その用紙カセット３２に対する用紙属性等の設定情報の変更の有無等を確認しながら設定処理へと容易に移行できる。
【００８２】
また、本実施例では、表示処理部４１３は、押下時間Ｔ１と所定時間Ｔ０に基づき、設定画面５５を表示するまでの移行期間を示す計時結果としての移行期間表示ゲージ５３１を設定確認画面５３上に表示する。
【００８３】
従って、本実施例によれば、テンキー２１０Ａを押下して用紙カセット３２の詳細設定を確認しながら、設定画面５３が表示されるまでの時間も把握できる。このため、移行期間表示ゲージ５３１を確認しながらテンキー２１０Ａの押下を解除すれば、設定画面５３が不用意（不要な場合）に表示されることを防止できる。
【００８４】
また、本実施例では、表示処理部４１３が、画像形成装置１０の待機中に、割り当てられたテンキー２１０Ａの識別情報及び割り当てられている用紙カセット３２の識別情報を含む用紙カセット３２別のカセットアイコン５１１を表示する。
【００８５】
従って、ユーザーは、カセットアイコン５１１を確認しながら、テンキー２１０Ａの操作を通じて所望の用紙カセット３２の設定情報を確実に表示させることができる。
【００８６】
また、割当管理部４１５は、テンキー２１０Ａに対して用紙カセット３２を割り当て、表示処理部４１３は、テンキー２１０Ａに対して割り当てられた用紙カセット３２のカセットアイコン５１１をテンキー２１０Ａの配列に従った配列で表示することもできる。
【００８７】
この場合、ユーザは、テンキー２１０Ａとカセットアイコン５１１が対応した配列となっているので、直感的なテンキー２１０Ａの操作を通じて容易に所望の用紙カセット３２の設定情報を表示させることができる。
［変形例］
図８及び図９は、変形例に係る設定確認画面例である。
【００８８】
図８の変形例は、図６の設定確認画面５３の移行期間表示ゲージ５３１に代えて、表示画面２２の背景をグラデーションで変化させて設定画面５５（図７参照）が表示されるまでの移行期間を表わすようにしている。
【００８９】
図８の例では、時間経過に従って設定確認画面が５３Ｆ、５３Ｇ、５３Ｈと遷移することで背景が薄くなるように構成しており、例えば、表示画面２２としてカラーパネルを採用した時などに計時結果を表わす方法として有用である。
【００９０】
なお、図８の例とは逆に、設定確認画面が５３Ｆ、５３Ｇ、５３Ｈと遷移することで背景が濃くなるように構成することも可能である。この場合は、表示画面２２がモノクロであっても、設定確認画面上で十分に設定情報を確認することができる。
【００９１】
計時結果の表示態様としては、図８以外にも、例えば設定確認画面５３上で数字をカウントダウン表示することも可能である。
【００９２】
図９の変形例は、操作キー２１０のテンキーが押下されている間、設定情報が異なる言語（例えば、英語及びドイツ語）で記述された複数の言語別の設定確認画面５３を切り替えて表示するものである。
【００９３】
例えば、図９のように、設定確認画面５３として第一言語である英語で記述された設定確認画面５３Ｄと第二言語であるドイツ語で記述された設定確認画面５３Ｅとが用意されている。なお、図９の例では、「１」のテンキー２１０Ａに割り当てられている用紙カセット３２（「Ｃａｓｓｅｔｔｅ１」）の設定情報を表示する。
【００９４】
そして、設定確認画面５３Ｄと５３Ｅは、テンキー２１０Ａが押下され続けている限り、表示画面２２上に交互に表示される。
【００９５】
この変形例では、異なる言語を理解するユーザが混在している場合でも、言語設定を変更しなくても、用紙カセット３２の設定情報を確実に確認させることができる。
［その他］
以上、本発明の実施例について説明したが、本発明はこれに限られるものではない。例えば、上記実施例では、テンキー２１０Ａに対して用紙カセット３２を割り当てた例を挙げているが、用紙カセット３２に割り当てる操作キー２１０はテンキー２１０Ａ以外のキーであっても良い。
【符号の説明】
【００９６】
１０  画像形成装置
２０  パネルユニット
２３  パネル制御部
３０  エンジンユニット
３２Ａ、３２Ｂ、３２Ｃ  用紙カセット
３３Ａ、３３Ｂ、３３Ｃ  用紙残量センサー
３５  エンジン制御部
４０  メイン制御ユニット
４１  制御部
４１１  押下検出部
４１２  計時部
４１３  表示処理部
４１４  設定処理部
４１５  割当管理部
４３  記憶部
４３１  割当管理テーブル
【図１】
0005931023.tif 000002
【図２】
0005931023.tif 000003
【図３】
0005931023.tif 000004
【図４】
0005931023.tif 000005
【図５】
0005931023.tif 000006
【図６】
0005931023.tif 000007
【図７】
0005931023.tif 000008
【図８】
0005931023.tif 000009
【図９】
0005931023.tif 000010